(57)【要約】【課題】  使用履歴の確認容易化を図る。【解決手段】  黒色な光遮断性を有するＡＢＳ樹脂のような軟質合成樹脂からなる器体ベース３が電気的な検出素子を支持し、光透過性を有する無色なポリカボネート樹脂のような硬質合成樹脂からなる器体カバー４が器体ベース３に被せられて取り付けられ、器体ベース３の背面１０には相手側コネクタ１４と接続されるコネクタ８が設けられ、コネクタ８の周りにおける背面１０には検出器１の使用履歴を表わす印２２が、ポンチのような工具で打刻されるので、検出器１を遊技部品に取り付けた形態のまま、人が検出器１の使用履歴を容易に確認することができる。印２２が器体カバー４の上面４ａまたは器体ベース３の下面３ａにレーザ光による熱で形成された刻印で付されれば、印２２を背面１０に設ける場合に比べ大きく形成することができ、印２２の見易さがよくなる。【選択図】        図１
2005137704.tif 000002
【特許請求の範囲】
【請求項１】
検出器の使用履歴を表わす印が電気的な検出素子を支持する器体の外側面に付されたことを特徴とする検出器。
【請求項２】
検出器の使用履歴を表わす印の付された器体が軟質合成樹脂により形成されたことを特徴とする請求項１記載の検出器。
【請求項３】
検出器の使用履歴を表わす印の付された器体の外側面が器体の背面であることを特徴とする請求項１記載の検出器。
【請求項４】
検出器の使用履歴を表わす印の付された器体の外側面が検出器の上面または下面であることを特徴とする請求項１記載の検出器。
【請求項５】
検出器の使用履歴を表わす印が打刻であることを特徴とする請求項１記載の検出器。
【請求項６】
検出器の使用履歴を表わす印が熱で形成された刻印であることを特徴とする請求項１記載の検出器。
【発明の詳細な説明】
【技術分野】
【０００１】
本発明は、検出器の使用履歴を目で確認しやすくする構造に関する。
【背景技術】
【０００２】
パチンコ機には、球を検出するために、近接スイッチのような非接触形検出器やマイクロスイッチのような接触形検出器が、多数個使用されている。これらの検出器は耐用寿命が長いにもかかわらず、パチンコ機がパチンコ店から使用済遊技機として破棄されると、検出器もパチンコ機に組み込まれたままパチンコ機と一緒に破棄されていた。そこで、使用済遊技機として破棄されたパチンコ機である廃棄台から検出器を回収し、当該検出器の機能検査を行い、良品となった検出器を新しいパチンコ機に再利用することが考えられるが、再利用する際、当該検出器がそれまでに何回使用されたかという、検出器の使用履歴を目で確認することができない欠点がある。
【特許文献１】特開２０００−１３７０８２号公報
【発明の開示】
【発明が解決しようとする課題】
【０００３】
発明が解決しようとする問題点は、検出器の使用履歴が目で確認できないという点である。
【課題を解決するための手段】
【０００４】
本発明の検出器は、検出器の使用履歴を表わす印が、電気的な検出素子を支持する器体の外側面に、機械的に形成された打刻または熱で形成された刻印で付されたことを最も主要な特徴とする。本発明にあっては、検出器の使用履歴を表わす印の付された器体の外側面が器体の背面であったり、または、検出器の使用履歴を表わす印の付された器体の外側面が検出器の上面または下面であったりしてもよい。
【発明の効果】
【０００５】
本発明の検出器は、検出器の使用履歴を表わす印が機械的に形成された打刻または熱で形成された刻印であるので、当該検出器の使用履歴を表わす印が印刷で形成された場合に比べ耐久性が高く、検出器の使用履歴を適切に確認することができる。本発明にあっては、検出器の使用履歴を表わす印の付された器体の外側面が器体の背面であれば、検出器が背面にコネクタを持っていることから、検出器が取り付けの相手側部材である遊技部品に取り付けられた場合でも、コネクタ周りの背面は配線の関係から他の部品で覆われることがないので、検出器を遊技部品に取り付けた形態のまま、人が検出器の使用履歴を容易に確認することができる。本発明にあっては、検出器の使用履歴を表わす印の付された器体の外側面が検出器の上面または下面であれば、上面または下面は背面に比べて面積が広いので、検出器の使用履歴を表わす印を大きく表示することができ、人が検出器の使用履歴を一層容易に確認することができる。
【発明を実施するための最良の形態】
【０００６】
図１−図３は第１実施形態であって、図１のａ図は、検出器１を上下反転しかつ分解して示す。図１のｂ図は、検出器１の組み立てられた外観を示す。図２のａ図は、検出器１の取り付けられる遊技部品２５の外観を示す。図２のｂ図は、遊技部品２５を切断して示す。図３は、検出器１の再利用形態を示す。検出器１は器体カバー４が下で、器体ベース３が上となるように使われるので、上記検出器１の上下反転は器体カバー４が上で、器体ベース３が下となった形態をいう。
【０００７】
図１を参照し、パチンコ機に球を検出するために使用される近接スイッチを例とした検出器１について説明する。図１のａ図に示すように、検出器１は、長方形板状の器体２で、電気的な検出素子を、支持した構造である。器体２は、器体ベース３と器体カバー４とから構成される。器体ベース３は、例えば、黒色な光遮断性を有するＡＢＳ樹脂のような、軟質合成樹脂により形成される。器体ベース３の一半部には、長方形板状の上面と下面３ａとに貫通する球検出孔５を備える。球検出孔５の直径は、パチンコ機に使用する１個の球の直径より大きく、当該１個の球の直径の２倍より小さい。つまり、球検出孔５の直径は、１個の球が通過可能であるが、２個の球が並列に同時に通過不能な大きさである。球検出孔５の周りにおける器体ベース３の一端部には、検出コイル６を備える。器体ベース３の他半部には、検出コイル６に接続された検出回路７と、検出回路７に接続されたコネクタ８とを備える。コネクタ８の端子９は、器体ベース３の背面１０に設けられたコネクタ挿入孔１１の内部に突出する。
【０００８】
そして、パチンコ機に搭載された制御装置に接続された制御側コネクタ１２から延設された被覆電線１３の先端に結線された相手側コネクタ１４が、器体ベース３の背面１０から、コネクタ挿入孔１１に挿入されることによって、器体ベース３の端子９と相手側コネクタ１４の端子１５とが接続される。器体ベース３の相対峙する左右側面には、受部１６を備える。器体カバー４は、光透過性を有する無色なポリカボネート樹脂のような、硬質合成樹脂により形成される。器体カバー４の一半部には、長方形板状の上面４ａと下面とに貫通する球検出孔１８を備える。器体カバー４の球検出孔１８は、器体ベース３の球検出孔５と同形で同じ大きさである。器体カバー４は、周縁部より器体ベース３の方向である下方に突出した係合部１９を備える。係合部１９は、先端に横方向に突出するフック２０を備える。
【０００９】
図１のｂ図に示すように、器体ベース３の球検出孔５と器体カバー４の球検出孔１８とが対向する格好で、器体ベース３と器体カバー４とが互いに組み合わされると、係合部１９と受部１６とが互いに嵌り合い、器体ベース３と器体カバー４とが検出コイル６と検出回路７とコネクタ８とからなる電気的な検出素子を内蔵した形態の検出器１を構成する。検出器１の外側面としての器体ベース３における端子９の設けられた背面１０には、検出器１の使用履歴を表わす印２２が、ポンチのような工具で打刻される。
【００１０】
検出器１が新品としてパチンコ機に最初に使用される場合、検出器１の使用履歴を表わす印２２は、１個である。パチンコ機がパチンコ店から使用済遊技機として破棄され、当該パチンコ機たる廃棄台から検出器１が回収され、当該検出器１が機能検査を受け、良品となった検出器１が新しいパチンコ機に再利用される場合、器体ベース３の端子９の設けられた背面１０に、検出器１の使用履歴を表わす印２２が、ポンチのような工具でさらに打刻される。よって、１個の検出器１が新しいパチンコ機に１回再利用される場合、検出器１の使用履歴を表わす印２２が、器体ベース３の端子９の設けられた背面１０に２個有する形態となる。つまり、器体ベース３の端子９の設けられた背面１０には、検出器１の使用履歴を表わす印２２が、１個の検出器１が新しいパチンコ機に再利用される回数よりも１個多く付される。
【００１１】
図２を参照し、検出器１の使用される電動チューリップと呼ばれる入賞部品を例とした遊技部品２５について説明する。図２のａ図において、遊技部品２５は、板状の部品基板２６の前面にアーチ状のゲート２７と左右一対の羽根２８および入賞部２９を上から下に順に備え、部品基板２６の裏面に保護壁３０と羽根駆動機構３１と検出器取付部３２および球排出部３３を上から下に順に備え、左右側部に部品取付部３４を備える。ゲート２７は、羽根２８に上方から球が直撃しないように、羽根２８を保護する役目を有し、部品基板２６の前面で上下面に貫通する球通過孔３５を備える。球通過孔３５の直径は、パチンコ機に使用する１個の球の直径より大きく、当該１個の球の直径の２倍より小さい。つまり、球通過孔３５の直径は、１個の球が通過可能であるが、２個の球が並列に同時に通過不能な大きさである。
【００１２】
羽根２８は、羽根２８の下部に位置する図２のｂ図に示す羽根軸３６で、部品基板２６に左右方向に回転可能に取り付けられる。羽根２８と羽根軸３６とは、互いに、一緒に動くように固定される。入賞部２９は、部品基板２６の前面から裏面に貫通する入球孔３７を備える。保護壁３０は、羽根駆動機構３１に上方から球が直撃しないように、羽根駆動機構３１を保護する役目を担う。羽根駆動機構３１は、駆動源としての電磁ソレノイド３８と、電磁ソレノイド３８の動きを羽根２８に伝える伝達機構３９とを備える。電磁ソレノイド３８は、部品基板２６の裏面から突出した左右の支柱４０に、止ねじ４１で取り付けられる。電磁ソレノイド３８のプランジャ４２には、コイルスプリングのようなばね４３が、プランジャ４２を非接触に囲むように、装着される。伝達機構３９は、部品基板２６の裏面から突出した左右の突起４４と、左右の突起４４に機構軸４５で回転可能に取り付けられたレバー４６とを備える。レバー４６には、電磁ソレノイド３８のプランジャ４２と羽根軸３６の径方向外側に突出した図２のｂ図に示すアーム４７とが連結される。アーム４７と羽根２８と羽根軸３６とは互いに一緒に動くように結合される。
【００１３】
電磁ソレノイド３８に図外の制御装置から電力が供給されると、プランジャ４２が電磁ソレノイド３８に発生した磁気でばね４３のばね力に抗して後側に吸引される。これに伴い、レバー４６が機構軸４５を回転中心として可動し、羽根２８が羽根軸３６を回転中心として左右に開く。上記電磁ソレノイド３８への電力の供給が停止すると、電磁ソレノイド３８が消磁し、プランジャ４２がばね４３のばね力で前側に移動する。これに伴い、レバー４６が機構軸４５を回転中心として可動し、羽根２８が羽根軸３６を回転中心として左右に閉じる。検出器取付部３２は、部品基板２６の裏面と入球孔３７の上部内側とに連接された検出器収納孔４８と、検出器収納孔４８の下部一側で部品基板２６の裏面から裏側に突出した検出器支持片４９とを備える。検出器支持片４９の後端には、検出器収納孔４８の方向である内側に突出するフック５０を備える。球排出部３３は、入球孔３７から部品基板２６の裏側に排出された球を裏側に誘導する樋である。部品取付部３４には、ねじ挿入孔５１が前後方向に貫通する。
【００１４】
検出器１の器体カバー４が下側に向けられ、検出器１の球検出孔５；１８が遊技部品２５の側に向けられ、検出器１が遊技部品２５の裏側から検出器収納孔４８に挿入されるのに伴い、フック５０が検出器１の側面に接触し、検出器支持片４９が部品基板２６との連接部分を支点として外側横方向に弾性変形する。そして、検出器１の挿入方向先端が入球孔３７の内部前面に接触すると、検出器１の球検出孔５；１８が入球孔３７に同軸状に配置され、フック５０が検出器１の側面を裏側に越え、検出器支持片４９が自身の弾性で復元して検出器１の側面に接触し、フック５０が検出器１の裏面一側と前後方向に対向した形態で検出器１と係合する。これによって、検出器１が遊技部品２５に取り付けられ、器体ベース３の背面１０に打刻された検出器１の使用履歴を表わす印２２が遊技部品２５の裏側から見える態様となる。図２のｂ図における符号５２は、遊技部品２５を取り付けた遊技盤である。
【００１５】
図３を参照し、検出器１の再利用方法について説明する。検出器１の使用履歴を表わす印２２の１個付いた新品の検出器１が、パチンコ機に組み込まれて、パチンコ機製造会社から各地の遊技店に販売される。そして、各地の遊技店から使用済遊技機として破棄されたパチンコ機たる廃棄台５５が集荷場に集荷される。集荷された廃棄台５５は、遊技店の島と呼ばれるような遊技機設置設備に取り付けられた遊技機枠に遊技主体である遊技盤が組み込まれた状態のものと、遊技機設置設備に取り付けられた遊技機枠から取り外された遊技盤の状態のものとがある。この集荷された廃棄台５５における遊技機枠や遊技盤には検出器１が取り付けられている。そこで、集荷場において、廃棄台５５から検出器１を取り外す。検出器１を廃棄台５５から取り外す場合、検出器１のコネクタ８と相手側コネクタ１４との結合を解除する。このように廃棄台５５から取り外された検出器１は、洗浄工程５６で水またはアルコールのような洗浄液を用いて洗浄されることによって塵埃を取り除かれた後、乾燥工程５７で検出器１に付着した洗浄液が熱風または冷風を検出器１に吹き付けることによって乾燥される。
【００１６】
次に、乾燥後の検出器１は、機能検査工程５８で、製品として再使用可能に電気的に動作するか否かの機能検査を受ける。その場合、検出器１のコネクタ８には動作電力を出力する検査機器５９のコネクタが接続され、検査機器５９の電源スイッチがオン動作され、検査機器５９から検出器１に動作電力が供給された状態において、遊技機で使用する球と材質や大きさの同じ球を検出器１の球検出孔５；１８に通過させ、そのときに、検出器１が球を検出する電気的な動作を行うか否かを検査機器５９で判定する。この機能検査結果において、検出器１が正常に動作する場合、その後の製品として適格な良品であるので、検出器１は打刻工程６０に送られる。逆に、機能検査結果において、検出器１が正常に動作しない場合、検出器１としては不適格な不良品であるので、検出器１は不良品として破棄される。
【００１７】
打刻工程６０では、上記機能検査工程５８で良品となった検出器１が打刻機器６１に供給される。打刻機器６１では、ポンチのような工具で、検出器１の使用履歴を表わす印２２が、打刻機器６１に供給された検出器１の器体ベース３の背面１０に１個打刻される。この打刻された検出器１は、再び、機能検査工程６２に送られて製品として再使用可能に電気的に動作するか否かの機能検査を受ける。この再度の機能検査工程６２で良品と判定された検出器１は、組立工程６４に送られる。逆に、再度の機能検査結果において、検出器１が正常に動作しないと判定された検出器１は不良品として破棄される。組立工程６４では検出器１が入賞部品や球払出機構などのパチンコ機に使用される部品に組み込まれる。
【００１８】
第１実施形態の構造によれば、検出器１の使用履歴を表わす印２２がポンチで機械的に形成された打刻であるので、当該検出器１の使用履歴を表わす印２２が印刷で形成された場合に比べ耐久性を高くすることができる。よって、検出器１が数回にわたって再利用されたとしても、その数回にわたる検出器１の使用履歴を人が適切に確認することができる。検出器１の使用履歴を表わす印２２が器体２の背面１０であるので、検出器１が背面１０にコネクタ８を持っていることから、検出器１が取り付けの相手側部材である遊技部品２５に取り付けられた場合でも、また、当該検出器１を有する遊技部品２５が遊技盤５２に取り付けられた場合でも、コネクタ８周りの背面１０は配線１３の関係から他の部品で覆われることがない。よって、検出器１を遊技部品２５に取り付けた形態、または、当該遊技部品２５を遊技盤５２に取り付けた形態のいずれでも、人が検出器１の使用履歴を容易に確認することができる。特に、印２２が黒色な光遮断性を有するＡＢＳ樹脂のような軟質合成樹脂からなる器体ベース３に付されたので、印２２をポンチで機械的に容易に打刻することができる。
【００１９】
図４は第２実施形態に係る検出器１を示し、検出器１の使用履歴を表わす印２２が、器体カバー４の表面に、レーザ光の熱で形成された刻印で付される。つまり、器体カバー４の表面である器体２の上面４ａまたは下面３ａであるので、当該上面４ａまたは下面３ａが背面１０に比べて面積が広いことから、検出器１の使用履歴を表わす印２２を大きく表示することができ、人が検出器１の使用履歴を一層容易に確認することができる。しかも、レーザ光の熱で形成された印２２は焦げた色になるので、当印２２を光透過性を有する無色なポリカボネート樹脂のような硬質合成樹脂からなる器体カバー４に付けることによって、器体カバー４と印２２との色違いでも、人が検出器１の使用履歴を適切に確認することができる。
【図面の簡単な説明】
【００２０】
【図１】検出器を示し、ａ図は分解斜視図、ｂ図は組立斜視図。（第１実施形態）
【図２】遊技部品を示し、ａ図は背面斜視図、ｂ図は断面図。（第１実施形態）
【図３】検出器の再利用形態を示すフローチャート。（第１実施形態）
【図４】検出器を示す斜視図。（第２実施形態）
【符号の説明】
【００２１】
１    検出器
２    器体
３    器体ベース
３ａ  下面
４    器体カバー
４ａ  上面
１０  背面（外側面）
２２  印
【図１】
2005137704.tif 000003
【図２】
2005137704.tif 000004
【図３】
2005137704.tif 000005
【図４】
2005137704.tif 000006